(57)【特許請求の範囲】
【請求項１】
眼鏡に両眼用ルーペ（１８）を取付けるための組立体であり、両眼用ルーペは、眼により近い接眼レンズが外側の対物レンズよりも小さい少なくとも２つのレンズをそれぞれ含む、２つのルーペ（１８）を含み、レンズを接続するルーペジャケット（１９）の外面が、瞳から接眼レンズのリムに引き出されたのと実質的に一致したセクタ角で広がっている組立体において、各ルーペ（１８）の各取付アーム（２０−２６）が視界方向を横切る方向において平らであって視野の実質的な妨害にならず、また取付アーム（２０−２６）が曲げにより変形可能な金属で作られたヒンジ点（２１）において折り重ね可能なクロスアーム（２０）を含んでいることを特徴とする組立体。
【請求項２】
ヒンジ点（２１）が前記アーム（２０）の折り重なりを制御し、各ルーペ（１８）は種々の位置においてその中心軸が両眼用ルーペ（１８）から実質的に同じ距離において互いに交差することを特徴とする請求の範囲第１項に記載の固定用組立体。
【請求項３】
各クロスアーム（２０）が、それらの接合部において、折り重ねられたヒンジ（２２、２３）および縦方向の調節具（２８、５）が設けられた、中央の縦方向のアーム（２４、２６）に接続されていることを特徴とする請求の範囲第１項または第２項に記載の固定用組立体。
【請求項４】
取付けアーム（２６）の自由端が、眼鏡フレームのノーズブリッジ（３）内に含まれた前記取付具本体（６ｂ）のためのスナップ嵌め合いを提供するヨーク状のクリップ部材（６ａ）を支持することを特徴とする請求の範囲第１項乃至第３項のいずれかに記載の固定用組立体。
【発明の詳細な説明】
本発明は、実際のレンズの制限されたサブエリア上に、フィルタ、保護シールドおよび／または拡大レンズなどとして機能する補助レンズを眼鏡に固定することができる、固定用組立体に関するものである。この固定用組立体は、補助レンズの位置決め、アライメントおよび／またはアライメントの保持を可能とする機械的なホルダを含んでいる。
例えば、歯科医においては、ＵＶ硬化装置の放射が目に直接当たるのを阻止するための保護シールドを着ける必要性がある。歯科医の助手によって保持される分離したＵＶ保護シールドは使用するのに不便である。ＵＶ放射に加えて、眼に有害な放射に対する保護にも適用することができる。さらに、分離したレンズは、特定の物体をより明確に検出可能とするためのフィルタとしても機能することもある。
他方、しばしば拡大が必要とされる精密作業に使用できる拡大用のサブエリアを、眼鏡に設けることが好ましい場合がある。この目的のために特別の二重焦点レンズを製造することは高価となってしまう。
本発明の固定用組立体は、眼鏡に両眼用ルーペを固定するためにも使用することができる、取付用フレーム、および目に近い接眼レンズが外側の対物レンズよりも小さい少なくとも２つのレンズをそれぞれ備えた２つのルーペを含んでなるものである。
眼鏡に取り付けられるこのような両眼用ルーペは、歯科医あるいは精密技術者の作業のような精密作業を容易化することを意図したものである。従来技術の両眼用ルーペの欠点は、複雑なデザインであること、および過度の重量があること、ならびにループによって視界の領域が制限されることなどである。
米国特許公報第５，１８２，５８８号には、レンズの制限されたサブエリア上に眼鏡レンズの表面に保護被覆を取付けることが示されている。薄い表面被覆は製造が困難であり、またこれによって眼鏡が永久的に変更され、よって、個人の眼に調節された眼鏡に適用することが困難である。さらに、クリアな透明度が同時に必要な場合には、薄いレイヤにより形成された被覆では、十分な保護効果を得ることができない。この被覆は、保護を行うためのもので、同時にあるいは交互に、拡大レンズ両眼用ルーペを同時に使用することの可能性を提供するものではない。
さらに、例えば特許公報ＵＳ−第４，６４７，１６５およびＵＳ−第３，４４６，５４８号には、実際のレンズのサブエリア上に、機械式の、調節可能なアームによって、種々の補助レンズを配置することが開示されている。これらの従来技術の解決法は補助レンズのための信頼性高い取付を行うことができず、また取付具の構成が眼鏡のすべてのタイプに適したものではなかった。取付具は、特殊のデザインの眼鏡を製造する際に固着される場合もあるが、全体のコストが著しく増大してしまう。機械的な取付アームに基づく従来の取付具ユニットにおける最も一般的な欠点は、取付具組立体が視野を暗くし且つ妨げることである。
本発明の目的は、ユーザ自身の眼鏡上に据付可能な取付具のための固定用組立体を提供することにあり、前記組立体は目立たないものであり、使用が容易で出来る限り経済的なものであり、また種々の取付具を固定するために適用する際において多用途なものである。例えば、両眼用ルーペの取付に際しては、固定用組立体およびルーペは視野を可能な限り小さく遮蔽することが重要であり、これにより、視界をルーペを通り過ぎて、ルーペを通して検査され拡大されたのと同じ目標に容易に向けることができる。
本発明の特別な目的は、多くの異なるタイプの眼鏡に接続して使用するために適した、補助レンズおよび／または両眼用ルーペのための固定用組立体を提供することにある。
これらの目的は、添付した請求の範囲第１項に記載された特徴に基づいて達成される。本発明の好ましい実施例は請求の範囲第２項から第８項に記載されている。
例えば、弾性的にフレキシブルなアーム（請求の範囲第２項）の使用により、剛性のあるヒンジ付きのフレームと比べて、大きな利点が提供される。フレキシブルなアームにより支持されたレンズは容易に洗浄可能であり、またその元の位置に戻る。
従属の請求の範囲第９項−第１３項は、ユーザの接眼レンズのギャップにしたがってルーペを正確にセットするためおよびこれにより生じる視野の遮蔽を最小限とするための、ルーペの個々の焦点合わせにおける補助となる、本発明の好ましい実施例を開示している。
以下に本発明を添付の図面を参照して詳細に説明する。
第１図は補助レンズを眼鏡に取付けるための本発明の固定用組立体の正面図であり、
第２図は補助レンズおよびその保持アームの間の取付具の拡大図であり、
第３図は補助レンズの取付具クリップおよび補助レンズ４の眼鏡レンズに対するセッティングを示した拡大した側面図であり、同じ金属クリップにより分離した拡大レンズ１６を取付ることが示されており、
第４図は第３図の固定用組立体内に含まれた金属クリップの平面図であり、
第５図は第４図のＶ−Ｖ線に沿った断面図であり、
第６図は第４図のＶＩ−ＶＩ線に沿った断面図であり、
第７図はルーペを眼鏡に取付けるための本発明の固定用組立体の平面図であり、
第８図は第７図に示された両眼用ルーペの正面図であり、
第９図は同じ両眼用ルーペの側面図であり、および
第１０図はヒンジおよび調節機能を備えたルーペ取付具アームのより詳細な説明図である。
補助レンズを取付けるための固定用組立体を、第１図から第６図を参照して最初に説明する。
眼に有害な放射からの保護および／または拡大レンズおよび／またはフィルタとして機能する補助レンズ４は、実際のレンズ１の底端に隣接してレンズ１の内面上に位置決めされている。補助レンズ４の取付は、例えばスチールワイヤから構成される可撓性のフレキシブルなアーム５により行われる。このアーム５の底端は、接着剤により、補助レンズ４の底端内に作られた溝内に固定されている。アーム５の上端は、ネジ７によって締め付け可能な金属クリップ６に固定されている。金属クリップ６は、鼻を横切る実際のレンズのリムないしレンズ縁２を接続するブリッジ３に係合している。
金属クリップ６は、ネジ７を締め付けることによってアーム５の端をそれらの間にクランプする、２つの本体部材８、９を含んでいる。フレキシブルな軟金属、例えば銀で作られたクランプ用フック１０は、ブリッジ３の周囲に把持用ヨークを提供する。本体部材９、８を通って延在するとともに、ネジ山がクランプ用フック１０の材料と係合するようにネジ７に対して寸法付けされた、孔１１ａ、１１ｂ内に、クランプ用フック１０の両端が受容されている。クランプ用フック１０には既にねじ山が設けられているか、あるいは上記ネジにより切られたねじ山が設けられる。このようなクリップ組立体により、クリップをブリッジ３にクランプすると同時に、アーム５を押圧してクリップに係合させるために単一のネジ７を使用することが可能となる。他の本体部材９と対面している、このクリップの本体部材８の表面には、上記のアーム５を受容するためにアームの直径よりも深くない溝１２が設けられている。よって、アーム５はのアライメントが保持され、またネジ７の最終的な締め付けの前に、補助レンズ４を正しい位置に配置するために、アーム５の長さを本体部材８、９の間におけるその軸方向の調節によって調節することができる。最後に、アーム５の上端からの余分な長さは切除することができる。アームが下側から固定できない場合には、クリップの上端から延在するアームを下に曲げることにより上から行うことができる。
さらに、クリップ６の本体部材８は、分離した拡大および／または保護レンズ１６を支持するアーム１５のベース上に据付けられたヨーク状のホルダ１４と係合するために設計されている。ヨーク状のホルダ１４は、上から、溝１３と係合しているヨーク４の内面内に含まれたリブを備えた本体８のトップ上に押圧されている。眼鏡に関してこのタイプの拡大レンズ１６は、従来公知であるが、本発明によれば、これは、軽量のホルダヨーク１４により、新規な態様で本発明の金属クリップ６に取付けられている。
第２図は、補助レンズ４の下半分が保護レンズ４ｂで、また上半分が拡大レンズ４ａで構成される場合をより詳しく示したものである。この場合、別の拡大レンズ１６は必要ではない。その代わりに、拡大レンズ４ａあるいは１６のいずれかがフィルタ、あるいはフィルタと拡大レンズの組合せとされる。
次に、第７図から第１０図に示された例示的な実施例を説明する。
両眼用ルーペ１８はブラケット１７によって、眼鏡に含まれたノーズブリッジ３に締付けられている。各ルーペ１８には少なくとも２つのレンズが嵌込まれており、その内の眼により近い接眼レンズは外側の対物レンズよりも小さい。その外面については、レンズを接続するルーペジャケット１９が、瞳から接眼レンズのリムに引き出されたのと実質的に一致したセクタ角（sector angle）で広がっている。よって、ルーペにより生じる視界の領域の制限は最小限となる。ユーザは、自らの選択により、視界方向および頭部を単にやや回すだけで、ルーペを通し、あるいはルーペを透過して見ることができる。
ルーペのジャケット１９は、薄い壁厚を有するチューブおよび上記のセクタ角と一致した円錐形で構成することができる。ルーペのジャケットの材料は金属、繊維補強プラスチックなどである。ルーペのジャケットは、円形、楕円、多角形などの断面を有する。
ルーペ１８は、金属で作られるとともに折曲の結果としての変化した形状を有する、ヒンジ点２１において曲げることができる、クロスアーム２０上に据付けられている。ヒンジ点２１は、アーム２０以外の材料、例えば、軽量金属あるいはファイバー補強プラスチックであるアーム材料内に埋め込まれたワイヤスレッドで作ることができる。ヒンジ点２１の軸方向は、アーム２０の曲げを制御するように選択され、これにより、ルーペ１８の種々の位置において、両眼用ルーペ１８から実質的に同じ距離でルーペ１８の各中心軸が互いに交差する。よって、各ルーペ間の距離が各眼の間の距離にしたがってセットされる限り、ルーペは常に焦点があったままに維持される。
各ヒンジ点２１の間の中心点において、クロスアーム２０は、その取付点に弾性的な金属で作られたヒンジ２２が同様に設けられている縦アーム２４に接続されている。アーム要素２４には縦溝２８が、またアーム要素２６には横溝２７がそれぞれ設けられており、よって、ネジ２５によりアーム要素２６と２４を互いに取付けることで、縦および横の調節ができる。アーム要素２６は、ヒンジ２３によって、上から（あるいは下から）、その両側部に設けられた溝６ｃを有する金属取付具本体６ｂ上に据付け可能なヨーク状のクリップ６ａに接続されている。また、ヨーク６ａの内面は対応して形状付けされている。この場合、部材６ａと６ｂは一緒に、全体を参照番号６で示した、取付けクリップを提供する。このスナップ嵌め合い結合により、両眼用ルーペは容易に取り外しおよび取り替えることができる。小さいサイズで目立たない取付具本体６ｂは、眼鏡のノーズブリッジ３に永久的に固定することができる。取付具本体６ｂは、軟金属で作られるとともに、ノーズブリッジ３の周囲を把持し且つその両端が取付具本体６ｂを通って延在する孔内に受容されるループを構成し、また第６図の部材８内の孔と同じように寸法付けされた、つまりネジ７のネジ山がクランプ用フック１０のネジ山と係合する、クランプ用フック１０を使用することで、殆どすべてのタイプの眼鏡に固定することができる。このようなクリップは小さく、目立たないものであり、ぐらつかず、また殆どすべてのタイプの眼鏡に適用可能である。
本発明において必須なことは、固定用組立体およびルーペは軽量であり、また視野の小さいセクションだけしか妨げないことである。この目的物は、薄い壁付きのルーペジャケットを、小さいサイズの接眼レンズによりカバーされる視野のセクタ角に応じるように設計することによって、好ましいものとなる。さらに、取付アームの平らな形状および位置決めは、視野を最小限に遮断するように選択される。同時に、取付アームは、それらのヒンジ点の助けにより、両眼の間の距離の個々のアライメントおよびセッティングが可能となり、各ルーペは常に、定位置に固定された焦点を有している。ルーペは、例えば２０−３０ｍｍの長さを有している。接眼レンズは、例えば約１０ｍｍの直径を有している。接眼レンズの眼からの距離は、レンズが眼鏡のレンズに非常に近く位置決めされているときに、２０ｍｍのオーダーである。目的物は、セクタ角およびルーペの長さにより決定される直径を有している。
【図１】
0004057054.tif 000002
【図２】
0004057054.tif 000003
【図３】
0004057054.tif 000004
【図４】
0004057054.tif 000005
【図５】
0004057054.tif 000006
【図６】
0004057054.tif 000007
【図７】
0004057054.tif 000008
【図８】
0004057054.tif 000009
【図９】
0004057054.tif 000010
【図１０】
0004057054.tif 000011